(57)【特許請求の範囲】
【請求項１】
透析用粉末薬剤を溶解し透析用原液を得る溶解装置において、
収容された前記透析用原液の液位を検出する液面検出手段を有するメインタンクと、
前記透析用粉末薬剤を収容するとともに前記メインタンクより容量の小さいサブタンクと、
該サブタンクに前記透析用粉体薬剤を溶解するための水を供給する給水ラインと、
前記メインタンクの側壁に形成された開口と前記サブタンクの側壁に形成された開口とを連結して成るとともに、前記サブタンク内で透析用原液の液面が当該開口に達した時点で当該透析用原液を前記メインタンクにオーバーフローさせることにより、当該サブタンク内で所定液位を超えた前記透析用原液をメインタンクに流出する連結ラインと、
前記サブタンクの所定液位から換算される既知の容積と、前記液面検出手段により検出された液位から算出された容積とから、溶解された前記透析用原液の総容積を演算する演算手段と、
前記メインタンク又はサブタンク内の前記透析用原液を透析液供給装置に送液する供給ラインと、
を備えるとともに、前記メインタンクと給水ラインとを連通する連通ラインを設け、
前記サブタンクから前記連結ラインを介して前記メインタンクに流れ込んだ透析用原液を前記連通ライン及び前記給水ラインを介して再び当該サブタンクに供給することにより、当該メインタンクとサブタンクとの間で透析用原液が循環し得るよう構成されたことを特徴とする溶解装置。
【請求項２】
予め前記サブタンク内に投入された透析用粉末薬剤を前記給水ラインからの水で溶解するとともに、前記連結ラインを介して前記メインタンクに流出した透析用原液の液位を前記液面検出手段で検出して、その検出結果を基に前記演算手段にて演算して前記透析用原液の容積を算出し、所定濃度になる様に給水ラインを制御することにより透析用原液を得る透析用原液準備工程と、
該透析用原液準備動作の後、前記メインタンク又はサブタンクから前記供給ラインを介して前記透析液供給装置に透析用原液を送液する透析用原液供給工程と、
該透析用原液供給工程中、前記メインタンクから前記透析液供給装置に前記透析用原液を送液しつつ、前記サブタンクの洗浄又は消毒を行う洗浄消毒工程と、
該洗浄工程後、前記サブタンク内に次回透析用の透析用粉末薬剤を投入する透析用粉末薬剤投入工程と、
を有することを特徴とする請求項１記載の溶解装置の使用方法。
【請求項３】
前記透析用原液準備工程によって得られた透析用原液が必要量より少ない場合、前記透析用原液供給工程に代えて、前記サブタンクから前記透析液供給装置に透析用原液を供給しつつ、前記メインタンクで透析用原液を追加溶解する追加溶解工程を行うことを特徴とする請求項２記載の溶解装置の使用方法。
【発明の詳細な説明】
【０００１】
【発明の属する技術分野】
本発明は、水に溶解すると血液透析に使用する透析用原液となる透析用粉末薬剤を所定濃度に溶解するための溶解装置に関する。
【０００２】
【従来の技術】
病院等で腎不全患者の治療に使用される透析液は、一般に重炭酸塩系と酢酸系とに区分され、このうち重炭酸塩系の透析液は、重炭酸ナトリウムを含まないもの（以下、Ａ剤という。）と重炭酸ナトリウム（以下、Ｂ剤という。）の２種類の薬剤に水を混合して調整されるものである。
【０００３】
近年、運搬性向上の観点から、これらＡ剤及びＢ剤を粉末化したもの（以下、透析用粉末薬剤という。）を透析治療を行う病院内で溶解する試みがなされているが、溶解後の溶液（特にＢ剤）については経時的に濃度の低下が生じやすく、透析後に翌日の分を作り置きしておくことが難しかった。即ち、例えばＢ剤における重炭酸ナトリウム（ＮａＨＣＯ３）は、保存中反応して、Ｎａ２ＣＯ３，ＣＯ２，及びＨ２Ｏに分解するため濃度低下が生じ易いのである。
【０００４】
このため、透析毎に溶解作業が必要となり、従来から溶解のための溶解装置が各種提案されている。例えば特開昭５７−１５９５２９号公報には、２つの略容量の等しい溶解タンクを併設し、各タンク内で攪拌生成した透析用原液を人工透析液供給装置に送液する溶解装置が開示されている。
かかる構成により、定期的な洗浄を交互に行うことができるので、一方の溶解タンクの洗浄時においても他方の溶解タンクから透析用原液を供給し続けることができ、且つ、衛生的である。また、一方の溶解装置の突発的トラブルに対して他方の溶解装置のみで対応することができる。
【０００５】
【発明が解決しようとする課題】
しかしながら、上記した従来の溶解装置にあっては、併設された２つの溶解タンクそれぞれに透析用原液の液面を検出する検出手段を備えなければならないため、製造コストが上昇し、メンテナンス作業が増加してしまうという問題があった。
【０００６】
本発明は、このような事情に鑑みてなされたもので、併設された２つの溶解タンクのうち一方の透析用原液の容積を検出するのみで所望濃度の透析用原液を得ることにより、装置の製造コストを低下させ、メンテナンス作業を軽減させることができる溶解装置を提供することを目的とする。
【０００７】
【課題を解決するための手段】
請求項１記載の発明は、透析用粉末薬剤を溶解し透析用原液を得る溶解装置において、収容された前記透析用原液の液位を検出する液面検出手段を有するメインタンクと、前記透析用粉末薬剤を収容するとともに前記メインタンクより容量の小さいサブタンクと、該サブタンクに前記透析用粉体薬剤を溶解するための水を供給する給水ラインと、前記メインタンクの側壁に形成された開口と前記サブタンクの側壁に形成された開口とを連結して成るとともに、前記サブタンク内で透析用原液の液面が当該開口に達した時点で当該透析用原液を前記メインタンクにオーバーフローさせることにより、当該サブタンク内で所定液位を超えた前記透析用原液をメインタンクに流出する連結ラインと、前記サブタンクの所定液位から換算される既知の容積と、前記液面検出手段により検出された液位から算出された容積とから、溶解された前記透析用原液の総容積を演算する演算手段と、前記メインタンク又はサブタンク内の前記透析用原液を透析液供給装置に送液する供給ラインとを備えるとともに、前記メインタンクと給水ラインとを連通する連通ラインを設け、前記サブタンクから前記連結ラインを介して前記メインタンクに流れ込んだ透析用原液を前記連通ライン及び前記給水ラインを介して再び当該サブタンクに供給することにより、当該メインタンクとサブタンクとの間で透析用原液が循環し得るよう構成されたことを特徴とする。
【０００８】
かかる構成によれば、サブタンクに収容された透析用粉末薬剤に対し給水ラインにて給水すると共に該サブタンクの所定液位を超えた透析用原液を連結ラインによってメインタンク側に流出した後、液面検出手段で検出した液位からメインタンク内の透析用原液の容積を検出する。作製された透析用原液の総容積は、液面検出手段及び演算手段で求められた容積とサブタンク内の所定液位から換算される容積との演算を演算手段が行うことによって求められる。そして、作製された透析用原液は、供給ラインによってメインタンク又はサブタンクから透析液供給装置に送液される。
【０００９】
請求項２記載の発明は、予め前記サブタンク内に投入された透析用粉末薬剤を前記給水ラインからの水で溶解するとともに、前記連結ラインを介して前記メインタンクに流出した透析用原液の液位を液面検出手段で検出して、その検出結果を基に演算手段にて演算して前記透析用原液の容積を算出し、所定濃度になる様に給水ラインを制御することにより透析用原液を得る透析用原液準備工程と、該透析用原液準備工程の後、前記メインタンク又はサブタンクから前記供給ラインを介して前記透析液供給装置に透析用原液を送液する透析用原液供給工程と、該透析用原液供給工程中、前記メインタンクから前記透析液供給装置に透析用原液を送液しつつ、前記サブタンクの洗浄又は消毒を行う洗浄消毒工程と、該洗浄工程後、前記サブタンク内に次回透析用の透析用粉末薬剤を投入する透析用粉末薬剤投入工程と、を有することを特徴とする。
【００１０】
請求項３記載の発明は、前記透析用原液準備工程によって得られた透析用原液が必要量より少ない場合、前記透析用原液供給工程に代えて、前記サブタンクから前記透析液供給装置に透析用原液を供給しつつ、前記メインタンクで透析用原液を追加溶解する追加溶解工程を行うことを特徴とする。
【００１１】
【発明の実施の形態】
以下、本発明の実施の形態について図面を参照しながら具体的に説明する。
本実施形態に係る溶解装置は、透析用粉末薬剤を溶解し透析原液を得るものであって、図１に示すように、メインタンク１と、サブタンク２と、液面検出手段３と、シャワー４、５と、連結ライン６と、消毒ユニット７と、濃度セル８と、演算手段９と、給水手段１０と、チャンバ１２と、複数のバルブＶ１〜Ｖ８及びこれらバルブを結ぶラインと、フィルタＦ１と、ポンプＰとから主に構成される。
【００１２】
メインタンク１は、サブタンク２に比べ相対的に容量が大きなタンクであり、収容された透析用原液の液位を検出する液面検出手段３を上部に有する。この液面検出手段３は、収容される透析用原液に対し接触式、非接触式のどちらでもよく、浮きによる液面センサ、超音波センサ、磁歪式リニア変位センサ等により構成されるものである。
【００１３】
液面検出手段３により液位を検出すると、その検出値は演算手段９に電気信号として送信される。該演算手段９に信号が送られると、透析用原液の液位から透析用原液の容積に換算する演算が行われ、メインタンク１内に収容された透析用原液の容積が認識される。
【００１４】
メインタンク１内壁上部には、メインタンク１内部を洗浄するためのシャワー４が取り付けられており、給水手段１０とラインＬ１〜Ｌ５を介して連結されている。このうち、ラインＬ２にはバルブＶ１、ラインＬ３にはポンプＰが介在しており、ポンプＰを駆動しつつバルブＶ１を開けるとシャワー４からメインタンク１内に散水可能とされている。
【００１５】
メインタンク１底面隅部の開口１ａからはラインＬ６が延設されるとともに、メインタンク１底面中央部の開口１ｂからはラインＬ８が延設されており、ラインＬ６はＬ３と、ラインＬ８はＬ１２とＬ１１との交点と、それぞれ接続されている。
【００１６】
更に、開口１ａはフィルタＦ１で覆われており、ポンプＰを駆動させると、フィルタＦ１で濾過された透析用原液がラインＬ６、Ｌ３、Ｌ４、Ｌ１２、及びＬ８を通って開口１ｂからメインタンク１に戻される。このような循環により、メインタンク１内の透析用原液を攪拌することができ、均一な濃度の透析用原液を得ることができる。
【００１７】
メインタンク１の側壁の開口１ｃからはラインＬ１０が延設され、このラインＬ１０はライン１１を介してラインＬ１２とラインＬ８との交点に接続されている。ラインＬ１１には濃度セル８が配設されており、該ラインＬ１１を通る透析用原液の濃度を測定することが可能とされている。
尚、メインタンク１上部には、消毒ユニット７が配設されており、この消毒ユニット７から供給された消毒液によりメインタンク１又はライン内を消毒することができる。
【００１８】
サブタンク２は、メインタンク１に比べ相対的に容量が小さなタンクであり、メインタンク１に併設されるとともに所定量の透析用粉末薬剤を収容可能とされている。
サブタンク１底面中央部の開口２ａからはラインＬ１３が延設されており、このラインＬ１３はラインＬ１４、Ｌ４、Ｌ３、Ｌ２、及びＬ１を介して給水手段１０と接続されている。また、ラインＬ１４にはバルブＶ２が配設されており、このバルブＶ２及びバルブＶ１を開けるとともにポンプＰを駆動させると、サブタンク２内に給水可能とされている。上記ラインＬ１、Ｌ２、Ｌ３、Ｌ４、Ｌ１４、及びＬ１３が成すラインは、サブタンク２に透析用粉体薬剤を溶解するための水を供給するための給水ラインを成す。
【００１９】
サブタンク２の上部には、シャワー４と同様のシャワー５が形成されており、ラインＬ１６を介して給水手段１０と接続されている。このラインＬ１６にはバルブＶ７が配設されており、サブタンク２内の洗浄の際には開けられ、それ以外の時は閉められた状態とされる。
【００２０】
また、ラインＬ１３とＬ１４との交点から延び、チャンバ１２に接続されるライン１５と、ラインＬ３とＬ４との交点から延び、チャンバ１２に接続されるラインＬ１６が形成されており、該チャンバ１２からは患者に透析液を供給する透析液供給装置１１と接続されるラインＬ１７と、メインタンク１側壁に形成された開口１ｄと接続されるラインＬ１８とが延設されている。
【００２１】
そして、ラインＬ１３、Ｌ１５、及びＬ１７、又はラインＬ６、Ｌ３、Ｌ１６、及びＬ１７は、メインタンク１又はサブタンク２内の透析用原液を透析供給装置１１に送液する供給ラインを成す。
【００２２】
一方、ラインＬ１１とＬ８との交点とラインＬ４とＬ５との交点を結ぶラインＬ１２を形成するとともに、ラインＬ１３とＬ１５との交点から排水口まで延びたラインＬ９を形成し、該ラインＬ１２に配設されたバルブＶ６とバルブＶ２及びＶ５とを開けることによりメインタンク１内の透析用原液等を排水できるよう構成されている。これにより、ラインＬ１３及びＬ９、又はラインＬ８、Ｌ１２、Ｌ１４、及びＬ９は、メインタンク１又はサブタンク２内の液体を排出する排水ラインを成す。尚、これとは別の排水ラインとしてラインＬ７が形成されている。
【００２３】
連結ライン６は、サブタンク２内で所定液位を超えた透析用原液をメインタンク１に送液するものであり、メインタンク１の上部側壁に形成された開口１ｅと、サブタンク２の上部側壁に形成された開口２ｂとを連結している。即ち、サブタンク２内への給水により上昇する透析用原液の液面が開口２ｂに達した時点でオーバーフローし、連結ライン６を介してメインタンク１内に流れ込むよう構成されている。ここで、開口２ｂの形成位置は確定されているため、所定液位とは開口２ｂが形成された位置となり、所定液位から換算される容積は既知となっている。
【００２４】
演算手段は、サブタンク２の所定液位から換算される容積と、液面検出手段３により検出された液位とから、溶解された透析用原液の総容積を演算するものであり、例えばマイコン（マイクロコンピュータ）等から成る。原則的には、サブタンク２内の透析用原液の容積は既知であるので、これにメインタンク１内の透析用原液の容積を加算したものが透析用原液の総容積となるのであるが、ラインに残留した透析用原液の容積も考慮するため、前記加算値に所定値を更に加算したものを透析用原の総容積とするのが好ましい。
【００２５】
次に、上記構成の溶解装置に係る作用について説明する。
１日の透析終了後、次の日に必要とされる透析用粉末薬剤を予めサブタンク２内に投入しておく（透析用粉末薬剤投入工程）。次の日の透析が開始される前に、前日投入したサブタンク２内の透析用粉末薬剤を溶解するため、バルブＶ１及びＶ２を開いて給水ラインを開放するとともに、ポンプＰを駆動させる。すると、ポンプＰの作用により給水手段１０からサブタンク２内に水が供給される。尚、特に言及しない限り各バルブは開けられず閉じた状態のままである。
【００２６】
サブタンク２内では、給水により透析用粉末薬剤が攪拌されて透析用原液が作製され、該透析用原液の液面が上昇して開口２ｂに達した時点で透析用原液がオーバーフローし、連結ライン６を介してメインタンク１内に流れ込む。
メインタンク１内に流れ込んだ透析用原液は、ラインＬ６を通って給水ラインに流れ込み、再びサブタンク２内へ給水手段からの水とともに供給される。こうして、透析用原液は、メインタンク１とサブタンク２との間で循環し、次第に均一な濃度の透析用原液となっていく。
【００２７】
この時、バルブＶ６を開ければ、ポンプＰの作用により、循環される透析用原液の一部がラインＬ８からメインタンク１に再び戻ることとなり攪拌される。このように、メインタンク１及びサブタンク２に戻る透析用原液はそれぞれのタンクの下面中央から上方に向かって吹き上げられるため、タンク底面に溜まりがちな濃度の濃い透析用原液が攪拌され、タンク内における透析用原液の濃度がより均一化される。
【００２８】
尚、ラインＬ１２を通過する透析用原液の一部は、ラインＬ１１に分流し、ラインＬ１０を通ってメインタンク１の側壁からメインタンク１に戻される。透析用原液がこのラインを通過する間に濃度セル８にて濃度測定が行われ、濃度が異常であれば、装置の停止又は図示しない操作盤にて作業者へ警告表示を行う。しかし、本実施形態においては、透析用原液の濃度測定は作製された透析用原液の容積を検出すれば足りるため、この濃度セル８による濃度測定は適宜行うものとし、濃度測定を行わないものとしてもよい。
【００２９】
メインタンク１内に所定量の透析用原液が溜まった時点でバルブＶ１を閉じ、給水ラインを遮断すると共にポンプＰの駆動を停止し、透析用原液の連結ライン６からメインタンク１への流れ込みが停止した時点で、液面検出手段３によるメインタンク１内における透析用原液の液面検出を行う。
【００３０】
この液面の検出値から演算手段９にてメインタンク１及びサブタンク２内の透析用原液全体の容積を演算し、投入した透析用粉末薬剤に対し透析用原液全体の容積が所定濃度となる容積になるまで再びバルブＶ１を開き、しばらく循環、攪拌作業を行って透析用原液準備工程が完了する。このように、給水を２回に分けた理由は、透析用粉末薬剤が水に溶解すると全体の容積が変化することにある。即ち、透析用粉末薬剤が水に溶けて容積が減少するため、透析用原液の容積は透析用粉末薬剤と給水量とを加えた容積より減少するのである。
【００３１】
また、その容積の減少量は溶解する透析用粉末薬剤によって異なるので、予め容積の減少量を見込んだ給水を行うのは困難となっている。よって、最初に目標の８割〜９割程度給水し、透析用粉末薬剤が完全に溶解した後に液面を検出して目標容積とするための給水量を認識し、２回目の給水で目標容積とするのである。このような２回に分けた給水は、後述する既定追加溶解工程及び任意追加溶解工程においても同様に行われる。
【００３２】
上記透析用原液準備工程では設定された薬剤数の溶解に達していない場合（即ち、必要量に足りなかった場合）、以下に示す追加溶解工程（以下、この場合の追加溶解工程を特に既定追加溶解工程という。）を行う。
バルブＶ１、Ｖ６、及びＶ４を開けてメインタンク１内に給水した後、追加分の透析用粉末薬剤をメインタンク１内に投入し、ポンプＰを駆動させる。追加分の透析用粉末薬剤の投入時期については、メインタンク１内への給水中であればよく、図示しない操作盤から操作者に投入の指示を表示させるようにするのが好ましい。
これにより、給水手段１０からの水は、ラインＬ１、Ｌ２、Ｌ３、Ｌ４、Ｌ１２、及びＬ８を通ってメインタンク１内に底面から供給され、そのうちの一部はラインＬ１２から分流して、ラインＬ１１及びＬ１０を通ってメインタンク１内に上部から供給される。
【００３３】
一方、バルブＶ４が開けられているので、メインタンク１への既定追加溶解工程中、サブタンク２からラインＬ１３、Ｌ１５、及びＬ１７を介して透析液供給装置１１に透析用原液が供給され始めている。
そして、再び液面検出手段３によりメインタンク１内の透析用原液の容積を検出するとともに、この検出値から直前に検出したメインタンク１内の透析用原液を減算した値が、追加投入された透析用粉末薬剤に対応した容積となった時点で既定追加溶解工程を終了する。
【００３４】
透析を行うには、バルブＶ３を開けて供給ラインを開放することによりメインタンク１内の透析用原液を透析液供給装置１１に送液する（透析用原液供給工程）。尚、バルブＶ３を開けて供給ラインを開放し、サブタンク２内の透析用原液を透析液供給装置１１に送液してもよい。即ち、メインタンク１内の透析用原液を先に使用するか、サブタンク１内の透析用原液を先に使用するかは適宜選択可能とされている。
【００３５】
透析用原液供給工程中に透析用原液を追加作製する必要が生じた場合（即ち、必要量に足りなかった場合）、以下の追加溶解工程（以下、この場合の追加溶解工程を特に任意追加溶解工程という。）を行う。尚、任意追加溶解工程に伴う時間に必要とされる透析用原液がサブタンク２内に残っていない場合は、メインタンク１内の透析用原液をサブタンク２に予め移しておく必要がある。
【００３６】
まず、液面検出手段３によりメインタンク１内に残っている透析用原液の容積を検出する（検出方法については既述）。次に、バルブＶ１、Ｖ６、及びＶ４を開けてメインタンク１内に給水した後、追加分の透析用粉末薬剤をメインタンク１内に投入し、ポンプＰを駆動させる。追加分の透析用粉末薬剤の投入時期については、メインタンク１内への給水中であればよく、図示しない操作盤から操作者に投入の指示を表示させるようにするのが好ましい。
これにより、給水手段１０からの水は、ラインＬ１、Ｌ２、Ｌ３、Ｌ４、Ｌ１２、及びＬ８を通ってメインタンク１内に底面から供給され、そのうちの一部はラインＬ１２から分流して、ラインＬ１１及びＬ１０を通ってメインタンク１内に上部から供給される。
【００３７】
一方、バルブＶ４が開けられているので、メインタンク１への任意追加溶解工程中、サブタンク２からラインＬ１３、Ｌ１５、及びＬ１７を介して透析液供給装置１１に透析用原液が供給され続けている。
そして、再び液面検出手段３によりメインタンク１内の透析用原液の容積を検出するとともに、この検出値から直前に検出したメインタンク１に残っていた透析用原液を減算した値が、追加投入された透析用粉末薬剤に対応した容積となった時点で任意追加溶解工程を終了する。
尚、既定追加溶解工程及び任意追加溶解工程において、メインタンク１内に透析用原液が残っていない場合（メインタンク１が空の状態の場合）は、給水前或いは給水時にバルブＶ８を開けてライン内に残っている透析用原液を排液するのが好ましい。
【００３８】
次にメインタンク１及びサブタンク２内の洗浄消毒工程について説明する。
サブタンク２内の洗浄は、サブタンク２内に透析用原液が残っていない状態（透析用原液を使い切った場合、及びバルブＶ５を開いて排水ラインを解放し、透析用原液を排水した場合を含む）で行われ、メインタンク２による透析用原液の供給中に行われる。
【００３９】
即ち、バルブＶ７を開いてシャワー５にて給水手段１０の水をサブタンク２内で散水して洗浄するとともに、バルブＶ３を開いて供給ラインを解放し、メインタンク１内の透析用原液を透析液供給装置１１に供給する。尚、バルブＶ６を開いてラインＬ１２及びＬ４を経て供給ラインに達するラインを解放し、該ラインによりメインタンク１内の透析用原液を透析供給装置１１に供給もしている。シャワー５から散水された水は、バルブＶ５を開くことにより解放された排水ラインにより排水される。
【００４０】
メインタンク１内の洗浄は、１日の透析が終了した後に行われ、サブタンク２に次の日の透析に必要な透析用粉末薬剤が投入された状態で行われる。即ち、バルブＶ２を開いてシャワー４にて給水手段１０の水をサブタンク２内で散水して洗浄するとともに、ポンプＰを駆動させてメインタンク１内で洗浄に使用された水を循環させる。この循環により、循環水を流したラインの洗浄をも行うことができる。尚、洗浄時に必要に応じてバルブＶ６も開き、ラインＬ１２を含むラインの洗浄を行ってもよい。
【００４１】
また、消毒ユニット７に消毒液を投入し、この消毒液をメインタンク１内に流すことにより、メインタンク１内の消毒も行うことができる。この消毒は、消毒液の残留を回避するため、複数の洗浄の間に行うのが好ましい。
更に、バルブＶ３を開くと共にポンプＰを駆動させることにより、ラインＬ６、Ｌ３、Ｌ１６、及びＬ１８が形成するライン内でメインタンク１内の水を循環させ、チャンバ１２の洗浄を行う。尚、かかるラインをメインタンク１の消毒中に形成すれば、チャンバの消毒を行うことができる。尚、洗浄又は消毒後の水は、バルブＶ８を開くことにより排出されるが、消毒等の水がサブタンク２内の透析用粉末薬剤に混入しないよう、バルブ５を開いた状態で洗浄又は消毒を行うのが好ましい。
【００４２】
上記溶解装置によれば、透析の前日に透析用粉末薬剤をサブタンク２に投入しておくことができ、透析当日に行うべき溶解作業を軽減することができる。また、液面検出手段３はメインタンク１側に１つ設けるだけで、作製された透析用原液の総容積を検出することができるので、２つ設けたものに比べて溶解装置の製造コストを低減することができると共に液面検出手段に対するメンテナンス作業を軽減することができる。
【００４３】
また、サブタンク２は、透析用原液準備工程における透析用粉末薬剤の投入や追加溶解工程中の透析用原液の供給等に用途が限定されるため、容量を小さくすることができ、装置全体を小型化することができる。
【００４４】
以上、本実施形態に係る溶解装置について説明したが、透析用原液準備工程、既定追加溶解工程、任意追加溶解工程、透析用原液供給工程、及び洗浄消毒工程を手動で切り替えてもよいし、これら工程をシーケンス制御等によって自動で切り替えるように構成してもよい。
【００４５】
【発明の効果】
請求項１の発明によれば、メインタンク及びサブタンクの２つの溶解タンクのうち、メインタンクの透析用原液の液位を検出することにより作製した透析用原液の総容積を演算するので、液面検出手段をメインタンクのみに配設すれば足り、装置の製造コストを低下させ、メンテナンス作業を軽減させることができる。
【００４６】
請求項２の発明によれば、透析用原液準備工程により溶解された透析用原液を透析用原液供給工程により供給しつつサブタンクの洗浄、消毒を行うことができるので、１日の透析が終了した直後から次の日の透析のための透析用粉末薬剤をサブタンク内に準備しておくことができ、透析用原液溶解の作業性を向上することができるとともに、サブタンクの洗浄消毒の際も透析用原液の供給が行われているため、透析に支障を及ぼさずにサブタンクの洗浄消毒を行うことができる。
請求項３の発明によれば、追加溶解工程中においても透析用原液の供給が行われているので、透析に支障を及ぼさずに透析用原液を追加溶解することができる。
【図面の簡単な説明】
【図１】本発明に係わる溶解装置の概略系統図
【符号の説明】
１…メインタンク
１ａ〜１ｅ…開口
２…サブタンク
２ａ、２ｂ…開口
３…液面検出手段
４，５…シャワー
６…連結ライン
７…消毒ユニット
８…濃度セル
９…演算手段
１０…給水手段
１１…透析液供給装置
１２…チャンバ
Ｆ１…フィルタ
Ｌ１〜Ｌ１８…ライン
Ｖ１〜Ｖ８…バルブ
Ｐ…ポンプ
【図１】
0004249338.tif 000002